(57)【要約】【課題】汚物の逆流をより効果的に防止できる真空掃除機用サイクロン集塵装置のグリル組立体を提供する。【解決手段】本発明によるグリル組立体は、吸込み空気が旋回気流を形成するようにし、遠心力によって前記旋回気流から汚物を分離するサイクロンボディーの空気排出管の入口に配置され汚物の逆流を防止するものであって、グリルボディーと；  前記グリルボディーに形成された複数の流路と；前記グリルボディー側に向く上昇気流に含まれた汚物を反射させてその進行方向を前記旋回気流側へ転換させるために前記グリボディーの下部に配置される汚物遮断部材と；を含み、前記汚物遮断部材は、下部に行くほどその直径が大きくなる円錐形の第１部材と；前記円錐形の第１部材から直下方に所定の長さ延ばされる円筒形の第２部材とを備える。【選択図】      図３
2004167206.tif 000002
【特許請求の範囲】
【請求項１】
吸込み空気が旋回気流を形成するようにし、遠心力によって前記旋回気流から汚物を分離するサイクロンボディーの空気排出管の入口に配置されて汚物の逆流を防ぐものであって、
グリルボディーと；
前記グリルボディーに形成された複数の流路と；
前記グリルボディー側に向く上昇気流に含まれた汚物を反射させてその進行方向を前記旋回気流側へ転換させるために前記グリボディーの下部に配置される汚物遮断部材とを含み、
前記汚物遮断部材は、
下部に行くほどその直径が大きくなる円錐形の第１部材と；
前記円錐形の第１部材から直下方に所定の長さ延ばされる円筒形の第２部材とを備えることを特徴とする真空掃除機用サイクロン集塵装置のグリル組立体。
【請求項２】
前記複数の流路は、前記グリルボディーの外周面に沿って空気が疎通できるように所定間隔に離隔配置された複数のブレードによって形成されることを特徴とする請求項１に記載の真空掃除機用サイクロン集塵装置のグリル組立体。
【請求項３】
前記汚物遮断部材は、結合手段によって前記グリルボディーの下部側に着脱自在に結合されることを特徴とする請求項１に記載の真空掃除機用サイクロン集塵装置のグリルボディー組立体。
【請求項４】
前記結合手段は、
前記グリルボディーの下側の内周面に対向するように形成され、下部が開放された位置ガイド部及び位置ガイド部から垂直に延ばされた結合部とから成っている１対の結合溝と；
前記結合溝と対応するように前記汚物遮断部材の上部の外周面に形成された１対の結合突起とから構成されることを特徴とする請求項３に記載の真空掃除機用サイクロン集塵装置のグリル組立体。
【請求項５】
前記結合手段は、前記汚物遮断部材の下面にて前記グリルボディーの下面に締結されるスクリュで構成されることを特徴とする請求項３に記載の真空掃除機用サイクロン集塵装置のグリル組立体。
【請求項６】
キャニスター型真空掃除機の延長管に設けられ、吸込み空気を旋回させることにより、遠心力によって前記旋回気流から汚物を分離するサイクロン集塵装置であって、
空気流入のため前記延長管に連結される第１連結管、及び空気排出のための第２連結管とを備え、前記第１連結管を通して流入される汚物を含んだ空気に対し旋回気流を形成するサイクロンボディーと；
前記サイクロンボディー内の旋回気流によって空気から遠心分離される汚物を収去するように前記サイクロンボディーに着脱自在に結合された汚物収去筒と；
前記空気から分離された汚物が前記第２連結管を通して逆流しないように前記サイクロンボディー内部の前記第２連結管の入口に配置されるグリル組立体とを含み、
前記グリル組立体は、
前記サイクロンボディーに支持される支持リブを備えた第１グリルボディー部と前記第１グリルボディー部から一体に延ばされた円筒形の第２グリルボディー部とから成っているグリルボディーと；
前記グリルボディーの第２グリルボディー部の外周面に前記第２連結管と疎通するように形成された複数の流路と；
前記グリルボディー側に向く上昇気流に含まれた汚物を反射させてその進行方向を前記旋回気流側に転換するための前記第２グリルボディー部の下部に配置されるものであって、下部に行くほどその直径が大きくなる円錐形の第１部材と、前記円錐形の第１部材から直下方へ所定の長さ延ばされる円筒形の第２部材とを含んで成って汚物遮断部材とを備えることを特徴とする真空掃除機用サイクロン集塵装置。
【請求項７】
前記複数の流路は、前記第２グリルボディー部の外周面に沿って空気が疎通できるように所定間隔に離隔して配置された複数のブレードによって形成されていることを特徴とする請求項６に記載の真空掃除機用サイクロン集塵装置。
【請求項８】
前記汚物部材は、結合手段によって前記第２グリルボディー部の下部側に着脱自在に結合されることを特徴とする請求項６に記載の真空掃除機用サイクロン集塵装置。
【請求項９】
前記結合手段は、
前記第２グリルボディー部の下側の内周面に対向するように形成され、下部が開放された位置ガイド部及び該位置ガイド部から垂直に延ばされた結合部とから成っている１対の結合溝と；
前記結合溝と対応するように前記汚物遮断部材の上部の外周面に形成された１対の結合突起とからなることを特徴とする請求項８に記載の真空掃除機用サイクロン集塵装置。
【請求項１０】
アップライト型真空掃除機の集塵室に取付けられ、真空掃除機の吸込みブラシと連通するように形成された空気流入路を通して流入される汚物を含んだ空気を旋回させることにより、遠心力によって前記旋回気流から汚物を分離し、浄化された空気を真空掃除機のモータ駆動室と連通するように形成された空気排出路を通して排出するサイクロン集塵装置であって、
前記空気流入路に連結される空気流入管及び前記空気排出路に連結される空気排出管とを備え、前記空気流入管を通して流入される汚物を含んだ空気に対し旋回気流を形成するサイクロンボディーと；
前記サイクロンボディー内の旋回気流によって空気から遠心分離される汚物を収去するように前記サイクロンボディーに着脱自在に結合される汚物収去筒と；
前記空気から分離した汚物が前記空気排出管を通して逆流しないように前記サイクロンボディー内部の前記空気排出管の入口に配置されるグリル組立体とを含み、
前記グリル組立体は、
上部が開放された円筒形のグリルボディーと；
前記グリルボディーの外周面に前記空気排出管と疎通するように形成された複数の流路と；
前記グリルボディー側に向く上昇気流に含まれた汚物を反射させてその進行方向を前記旋回気流側に転換するために前記グリルボディーの下部に配置されるものであって、下部に行くほどその直径が大きくなる円錐形の第１部材と、前記円錐形の第１部材から直下方へ所定長さ延ばされる円筒形の第２部材とを含んでなる汚物遮断部材とを備えることを特徴とする真空掃除機用サイクロン集塵装置。
【請求項１１】
前記複数の流路は、前記グリルボディーの外周面に沿って空気が疎通できるように所定間隔に離隔配置された複数のブレードによって形成されていることを特徴とする請求項１０に記載の真空掃除機用サイクロン集塵装置。
【請求項１２】
前記汚物遮断部材は、結合手段によって前記グリルボディーの下部側に着脱自在に結合されることを特徴とする請求項１０に記載の真空掃除機用サイクロン集塵装置。
【請求項１３】
前記結合手段は、前記汚物遮断部材の下面にて前記グリルボディーの下面に締結されるスクリュで構成されることを特徴とする請求項１２に記載の真空掃除機用サイクロン集塵装置。
【発明の詳細な説明】
【０００１】
【発明の属する技術分野】
本発明は、真空掃除機用サイクロン集塵装置に関し、より詳しくは、サイクロン集塵装置内で旋回する空気から埃及び各種異物質（以下‘汚物’と称する）を分離し出す改善された構造のグリル組立体及びそれを備えた真空掃除機用サイクロン集塵装置に関する。
【０００２】
【従来の技術】
サイクロンは、遠心力を用いて流体内の粒子を分離する装置であり、構造が単純で且つ高温、高圧に耐えられる長所があるので、かねてより産業現場にて集塵装置として広く使われてきており、真空掃除機にも用いられている。
【０００３】
真空掃除機用サイクロン集塵装置の代表的なものとして、本出願人による韓国特許出願第１９９９−２０７０４号が２００１年１１月２８日付けで登録（韓国特許登録第３１７１１７号）され、図１はその真空掃除機用サイクロン集塵装置を概略的に示した断面図である。
【０００４】
図１に示すように、サイクロン集塵装置は、掃除機の延長管１ａ、１ｂに設けられる。以下、かかるサイクロン集塵装置を、後述するアップライト型真空掃除機用サイクロン集塵装置と区別するために、キャニスター型真空掃除機用サイクロン集塵装置と称して説明する。
【０００５】
図１に示すように、キャニスター型真空掃除機用サイクロン集塵装置は、サイクロンボディー２０、汚物収去筒３０、及びグリル組立体４０とを含む。
【０００６】
サイクロンボディー２０では、掃除機の吸込みブラシ側の延長管１ａに連結される第１連結管２１と、掃除機の本体側の延長管１ｂに連結される第２連結管２２と、第１連結管２１と連通する空気流入口２３と、第２連結管２２と連通する空気流出口２４とを備え、空気流入口２３を通して流入される汚物を含んだ空気が旋回気流を形成する。
【０００７】
汚物収去筒３０は、サイクロンボディー２０に着脱自在に結合され、サイクロンボディー２０により形成される旋回気流によって空気から分離される汚物を収去する。
【０００８】
また、グリル組立体４０は、サイクロンボディー２０の空気流出口２４に設けられ、汚物収去筒３０に収去された汚物が掃除機本体側へ逆流することを防ぐ。かかるグリル組立体４０は、グリルボディー４１と、グリルボディー４１の外周面に空気流出口２４と連通するように形成された複数の流路４２、及びグリルボディー４１の端部に設けられた円錐形状の汚物遮断部材４３とを備える。
【０００９】
上記のように構成された従来の真空掃除機用サイクロン集塵装置では、掃除機の吸込みブラシに発生する吸込み力によって汚物が吸込まれる空気と共に第１連結管２１を通してサイクロンボディー２０に対し斜線方向に流入され、これにより空気が旋回気流を形成し、汚物収去筒３０の下部へ降下する。この過程において、遠心力によって空気中に含まれた汚物が空気から分離して汚物収去筒３０に収去される。次いで、空気は、汚物収去筒３０の底面で反転上昇運動を始め、より小さい回転半径で回転しつつ上昇する気流により、グリル組立体４０の流路４２、空気流出口２４、及び第２連結管２２を通って掃除機本体側へ排出される。
【００１０】
このとき、汚物収去筒３０内で上昇する気流によって空気と共に上昇する汚物の一部は、汚物遮断部材４３によって反射されて再び旋回気流に入り込まれることになり、一方、汚物遮断部材４３によって遮断されない汚物はグリル組立体４０の流路４２を通り過ぎないで旋回気流に入り込まれて汚物収去筒３０に収去される。
【００１１】
図２は、従来のアップライト型真空掃除機に備えられるサイクロン集塵装置を示す断面図である。アップライト型真空掃除機用サイクロン集塵装置の基本構造、すなわち、サイクロンボディー２００、汚物収去筒３００、及びグリル組立体４００とを含んでなる基本構造は、前述したキャニスター型真空掃除機用サイクロン集塵装置とそれほど異ならない。但し、アップライト型真空掃除機用サイクロン集塵装置は、掃除機本体の集塵室に取付けられるという点で上記キャニスター型真空掃除機用サイクロン集塵装置とは異なっており、具体的には以下の通りである。
【００１２】
サイクロンボディー２００は、空気流入管２１０と空気排出管２２０とを備える。空気流入管２１０は、サイクロン集塵装置を掃除機本体（図示せず）に取付けるとき、該掃除機本体に吸込みブラシ（図示せず）と連通するように形成された空気流入路に連結される。また、空気排出管２２０は、サイクロン集塵装置を掃除機本体に取付けるとき、掃除機本体にモータ駆動室（図示せず）と連通するように形成された空気排出路に連結される。よって、上記吸込みブラシを通して流入される汚物を含んだ空気は、上記掃除機本体の空気流入路及び空気流入管２１０を通してサイクロンボディー２００内へ接線方向に流入される。これによりサイクロンボディー２００には旋回気流が形成され、該旋回気流に含まれた汚物は遠心力によって分離され、浄化された空気は空気排出管２２０、上記掃除機本体の空気排出路、及びモータ駆動室を通って外部へ排出される。
【００１３】
汚物収去筒３００は、サイクロンボディー２００の下部に着脱自在に結合され、サイクロンボディー２００の旋回気流によって空気から遠心分離される汚物を収去する。
【００１４】
グリル組立体４００は、サイクロンボディー２００内部の空気排出管２２０の入口に設けられ、旋回気流から分離された汚物が空気排出管２２０を通して逆流しないようにする。かかるグリル組立体４００は、グリルボディー４１０と、グリルボディー４１０の外周面に空気排出管２２０と連通するように形成された複数の流路４２０、及びグリルボディー４１０の下部に設けられる円錐形汚物遮断部材４３０とを備える。
【００１５】
上記のように構成されたサイクロン集塵装置を備えるアップライト型真空掃除機は、掃除を開始すると、モータ駆動室のモータが駆動するにつれ吸込みブラシに吸込み力が発生し、該吸込み力によって被掃除面の汚物を含んだ空気が吸込みブラシ、掃除機本体の空気流入路、及び空気流入管２１０を通ってサイクロンボディー２００内へ流入される。このとき、流入された空気は、空気流入管２１０によってサイクロンボディー２００の内周に沿って斜線方向にガイドされ旋回気流を形成し、それによって空気中に含まれた汚物は、遠心力によって分離され汚物収去筒３００に収去される。また、浄化された空気は、グリル組立体４００の流路４２０、空気排出管２２０、掃除機本体の空気排出路、及びモータ駆動室を通って外部へ排出される。
【００１６】
このとき、汚物収去筒３００内で上昇する気流によって空気と共に上昇する汚物の一部は、汚物遮断部材４３０によって反射され再び旋回気流に入り込まれることになり、一方、汚物遮断部材４３０によっても遮断されない汚物は、グリル組立体４００の流路４２０を通り過ぎず旋回気流に入り込まれて汚物収去筒３００に収去される。
【００１７】
上記のような真空掃除機用サイクロン集塵装置が開発されて掃除機に適用することにより、使い捨て紙フィルタに収去される汚物を量を減らすことができ、紙フィルタの使用寿命が延ばされ、且つ紙フィルタを全く使わないことにより掃除機の維持費用を大幅に減らすなどの効果が得られる真空掃除機を提供することができる。
【００１８】
前述したような真空掃除機用サイクロン集塵装置の開発課題としては、グリル組立体の流路を通した汚物の逆流をどれほど効果的に抑制及び防止可能であるかという点を残している。
【００１９】
つまり、サイクロン集塵装置は、汚物が分離されて浄化された空気を外部へ排出させるための一定大きさの流路４２、４２０を有するグリル組立体４０、４００がサイクロンボディー２０、２００内部の第２連結管２２、空気排出管２２０の入口に設けられるが、グリル組立体４０、４００の流路４２、４２０を通した汚物の逆流が必然的に発生する。結局このような汚物の逆流により、紙フィルタに収去される汚物の量が増えるか、あるいは紙フィルタを使用しない場合はそのまま外部へ排出されて集塵性能が低下することになる。
【００２０】
上記のような汚物の逆流を防ぐために、従来では図１及び図２に示すように、グリルボディー４１、４１０の下部に円錐形状の汚物遮断部材４３、４３０を設け、汚物収去筒３０、３００で上昇する気流に便乗して空気と共に上昇する汚物をグリルボディー４１、４１０の流路４２、４２０側へ接近しないように反射させることにより再び旋回気流に入り込ませるようにしているが、このような汚物遮断部材４３、４３０による汚物逆流の抑制及び防止には限界がある。
【００２１】
つまり、汚物遮断部材４３、４３０によりある程度大きい汚物は反射されてグリルボディー４１、４１０の流路４２、４２０側には接近しないものの、髪の毛などのような細長い汚物は、汚物遮断部材４３、４３０によってろくに反射できず汚物遮断部材４３、４３０とサイクロンボディー２０、２００の内壁との間の空間に抜け出されてグリルボディー４１、４１０に取り巻かれるか、流路４２、４２０を通して外部へ排出され、掃除機の集塵性能が低下するためその改善が求められている。
【００２２】
【特許文献１】
韓国特許登録第３１７１１７号
【００２３】
【発明が解決しようとする課題】
本発明は、従来の上記問題点に鑑みてなされたものであり、本発明の目的は、グリル組立体の流路を通した汚物の逆流、特に髪の毛などのような汚物が逆流しにくくて汚物の逆流を最小化できる改善された構造の真空掃除機用サイクロン集塵装置のグリル組立体を提供することである。
【００２４】
本発明の他の目的は、上記のような改善された構造のグリル組立体を備えることにより真空掃除機の集塵性能が向上された真空掃除機用サイクロン集塵装置を提供することである。
【００２５】
【課題を解決するための手段】
前記目的を果たすための本発明による真空掃除機用サイクロン集塵装置のグリル組立体は、吸込み空気が旋回気流を形成するようにし、遠心力によって前記旋回気流から汚物を分離するサイクロンボディーの空気排出管の入口に配置されて汚物の逆流を防ぐものであって、グリルボディーと；前記グリルボディーに形成された複数の流路と；前記グリルボディー側に向く上昇気流に含まれた汚物を反射させてその進行方向を前記旋回気流側へ転換させるために前記グリボディーの下部に配置される汚物遮断部材とを含み、前記汚物遮断部材は、下部に行くほどその直径が大きくなる円錐形の第１部材と；前記円錐形の第１部材から直下方に所定の長さ延ばされる円筒形の第２部材とを備えることを特徴とする。
【００２６】
これによると、髪の毛のような細長い汚物が上記汚物遮断部材によってグリルボディー側に上昇されずそのまま反射され、再び旋回気流に入り込まれて汚物収去筒に落ちて収去される。よって、汚物の逆流を最小化できる。
【００２７】
前記複数の流路は、前記グリルボディーの外周面に沿って空気が疎通できるように所定間隔に離隔配置された複数のブレードによって形成され得る。これによると、前記流路を通した汚物の逆流が更に難しく、よって掃除機の集塵性能を一層高められる。
【００２８】
また、本発明の望ましい実施の形態によると、前記汚物遮断部材は、結合手段によって前記グリルボディーの下部側に着脱自在に結合するように構成され得る。
【００２９】
ここで、前記結合手段は、前記グリルボディーの下側の内周面に対向するように形成され、下部が開放された位置ガイド部及び位置ガイド部から垂直に延ばされた結合部とから成っている１対の結合溝と；前記結合溝と対応するように前記汚物遮断部材の上部の外周面に形成された１対の結合突起とから構成され得る。
【００３０】
また、前記結合手段は、前記汚物遮断部材の下面にて前記グリルボディーの下面に締結されるスクリュで構成され得る。
【００３１】
一方、上記他の目的を果たすための本発明によるキャニスター型真空掃除機用サイクロン集塵装置は、真空掃除機の延長管に連結される空気流入のための第１連結管、及び空気排出のための第２連結管とを備え、前記第１連結管を通して流入される汚物を含んだ空気に対し旋回気流を形成するサイクロンボディーと；前記サイクロンボディー内の旋回気流によって空気から遠心分離される汚物を収去するように前記サイクロンボディーに着脱自在に結合された汚物収去筒と；前記空気から分離された汚物が前記第２連結管を通して逆流しないように前記サイクロンボディー内部の前記第２連結管の入口に配置されるグリル組立体とを含み、前記グリル組立体は、前記サイクロンボディーに支持される支持リブを備えた第１グリルボディー部と前記第１グリルボディー部から一体に延ばされた円筒形の第２グリルボディー部とから成っているグリルボディーと；前記グリルボディーの第２グリルボディー部の外周面に前記第２連結管と疎通するように形成された複数の流路と；前記グリルボディー側に向く上昇気流に含まれた汚物を反射させてその進行方向を前記旋回気流側に転換するための前記第２グリルボディー部の下部に配置されるものであって、下部に行くほどその直径が大きくなる円錐形の第１部材と、前記円錐形の第１部材から直下方へ所定の長さ延ばされる円筒形の第２部材とを含んで成り汚物遮断部材とを備えることを特徴とする。
【００３２】
また、アップライト型真空掃除機は、掃除機の空気流入路に連結される空気流入管及び掃除機の空気排出路に連結される空気排出管とを備え、前記空気流入管を通して流入される汚物を含んだ空気に対し旋回気流を形成するサイクロンボディーと；前記サイクロンボディー内の旋回気流によって空気から遠心分離される汚物を収去するように前記サイクロンボディーに着脱自在に結合される汚物収去筒と；前記空気から分離した汚物が前記空気排出管を通して逆流しないように前記サイクロンボディー内部の前記空気排出管の入口に配置されるグリル組立体とを含み、前記グリル組立体は、上部が開放された円筒形のグリルボディーと；前記グリルボディーの外周面に前記空気排出管と疎通するように形成された複数の流路と；前記グリルボディー側に向く上昇気流に含まれた汚物を反射させてその進行方向を前記旋回気流側に転換するために前記グリルボディーの下部に配置されるものであって、下部に行くほどその直径が大きくなる円錐形の第１部材と、前記円錐形の第１部材から直下方へ所定長さ延ばされる円筒形の第２部材とを含んでなる汚物遮断部材とを備えることを特徴とする。
【００３３】
【発明の実施の形態】
以下に添付図面を参照しながら、本発明にかかるグリル組立体及びそれを備えた真空掃除機用サイクロン集塵装置の好適な実施の形態について詳細に説明する。なお、本明細書及び図面において、実質的に同一の機能構成を有する構成要素については、同一の符号を付することにより重複説明を省略する。
【００３４】
図３及び図４は、本発明に係るグリル組立体が適用されたキャニスター型真空掃除機用サイクロン集塵装置を示す図であり、同図で示すように、本発明に係るキャニスター型真空掃除機用サイクロン集塵装置は、サイクロンボディー２０、汚物収去筒３０、及びグリル組立体４０とを含む。
【００３５】
サイクロンボディー２０は、掃除機の吸込みブラシ側延長管１ａに連結される第１連結管２１と、掃除機本体側延長管１ｂに連結される第２連結管２２と、第１連結管２１と連通する空気流入口２３と、第２連結管２２と連通する空気流出口２４とを備え、空気流入口２３を通して流入される汚物を含んだ空気が旋回気流を形成する。
【００３６】
汚物収去筒３０は、サイクロンボディー２０に着脱自在に結合され、サイクロンボディー２０によって形成される旋回気流により空気から分離した汚物を収去する。
【００３７】
また、グリル組立体４０は、サイクロンボディー２０の空気流出口２４に設けられ、汚物収去筒３０に収去された汚物が掃除機本体側に逆流することを防ぐ。かかるグリル組立体４０は、グリルボディー４１と、グリルボディー４１の外周面に空気流出口２４と連通するように形成された複数の流路４２、及びグリルボディー４１の端部に設けられた汚物遮断部材４３とを備える。
【００３８】
グリルボディー４１は、サイクロンボディー２０に支持される支持リブ４１ａを備えた円錐形第１グリルボディー部４１ｂと、第１グリルボディー部４１ｂから一体に延ばされた円筒型第２グリルボディー部４１ｃとから成っている。
【００３９】
流路４２は、第２グリルボディー部４１ｃの外周面に形成されるが、図示したように複数の通孔で構成され得るし、図示してはないが、流路４２は、第２グリルボディー部４１ｃの外周面に複数のブレードを所定角度に配置することによりスリット状に構成され得る。上記ブレードによって形成される流路の方が通孔で形成する流路に比べて、流路を通じた逆流をより効果的に防止できるので望ましい。
【００４０】
汚物遮断部材４３は、グリルボディー４１側に向く上昇気流に含まれた汚物を反射させてその進行方向を上記旋回気流側に転換させることにより汚物の逆流を防ぐ役割をする。かかる汚物遮断部材４３は、第２グリルボディー部４１ｃの下部に配置されるが、本発明の特徴によって、下部に行くほどその直径が大きくなる円錐形の第１部材４３ａと、第１部材４３ａから直下方に所定長さ延ばされた円筒形の第２部材４３ｂとから成っている。
【００４１】
一方、汚物遮断部材４３は、図４に示すように、グリルボディー４１に一体に形成され得るし、図５に示すように、グリルボディー４１と分離して形成され得る。
【００４２】
上記のようにグリルボディー４１に分離形成される汚物遮断部材４３は、結合手段４５によってグリルボディー４１に組立てられる。結合手段４５は、第２グリルボディー部４１ｃの下部内周面に対向するように形成される１対の結合溝４５ａと、結合溝４５ａに対応するように汚物遮断部材４３の上部の外周面に形成される１対の結合突起４５ｂとから構成され得る。ここで、結合溝４５ａは、それぞれ下部が開放された位置ガイド部、及び位置ガイド部から垂直に延ばされた延長部とを備える。よって、結合突起４５ｂを結合溝４５ａの位置ガイド部に一致させて押し込んだ後所望の方向に回転させると、結合突起４５ｂが結合溝４５ａの結合部に位置することになる。それにより汚物遮断部材４３がグリルボディー４１に組み立てられる。
【００４３】
結合手段４５は、上記のような構成以外にも互いに対応結合する螺旋形の結合構造になり得るなど様々な構造への変更が可能である。
【００４４】
このように構成された本発明による真空掃除機用サイクロン集塵装置は、掃除機の吸込みブラシで発生する吸込み力により、汚物が吸込まれた空気と共に第１連結管２１を通してサイクロンボディー２０に対して斜線方向に流入され、これにより空気は、旋回気流を形成しつつ汚物収去筒３０の下部に降下する。この過程で遠心力によって空気中に含まれた汚物が空気から分離されて汚物収去筒３０に収去される。次いで、空気は、汚物収去筒３０の底面で反転上昇運動し、より小さい回転半径に回転しつつ上昇する気流により、グリル組立体４０の流路４２、空気流出口２４、及び第２連結管２２を通って掃除機本体側へ排出される。
【００４５】
このとき、汚物収去筒３０内で上昇する気流により、空気と共に上昇する一部の汚物は汚物遮断部材４３によって反射されることにより再び旋回気流に入り込まれることになり、一方、汚物遮断部材４３によっても遮断されない汚物は、グリル組立体４０の流路４２を通り過ぎず旋回気流に入り込まれて汚物収去筒３０に収去される。
【００４６】
上記のような汚物の分離過程において、改善された構造の本発明による汚物遮断部材４３では、汚物遮断部材４３の作用、つまり上昇する汚物を反射させてその進行方向を旋回気流側に転換させる作用がより効果的に行われるので、細長い髪の毛などのような汚物もグリルボディー４１側に上昇されずそのまま反射されて汚物収去筒３０に落ちて収去される。よって、汚物の逆流をより効果的に抑制及び防止することができるので掃除機の集塵性能が向上できる。
【００４７】
図６及び図７は、本発明によるアップライト型真空掃除機用サイクロン集塵装置を示した図であり、同図に示すように、アップライト型真空掃除機用サイクロン集塵装置の基本構造、すなわち、サイクロンボディー２００、汚物収去筒３００、及びグリル組立体４００とを含んでなる基本構造は、前述したキャニスター型真空掃除機用サイクロン集塵装置とそれほど異ならない。但し、アップライト型真空掃除機用サイクロン集塵装置は、掃除機本体の集塵室に取付けられるという点で、上記キャニスター型真空掃除機用サイクロン集塵装置と異なっており、より具体的に説明する。
【００４８】
サイクロンボディー２００は、空気流入管２１０と空気排出管２２０とを備える。空気流入管２１０は、サイクロン集塵装置を掃除機本体（図示せず）に取付けるとき、該掃除機本体に吸込みブラシ（図示せず）と連通するように形成された空気流入路に連結される。また、空気排出管２２０は、サイクロン集塵装置を掃除機本体に取付けるとき、掃除機本体にモータ駆動室（図示せず）と連通するように形成された空気排出路に連結される。よって、上記吸込みブラシを通して流入される汚物を含んだ空気は、上記掃除機本体の空気流入路及び空気流入管２１０を通してサイクロンボディー２００内へ接線方向に流入される。これにより、サイクロンボディー２００では旋回気流が形成され、該旋回気流に含まれた汚物は遠心力によって分離され、浄化された空気は、空気排出管２２０、上記掃除機本体の空気排出路、及びモータ駆動室を通って外部へ排出される。
【００４９】
汚物収去筒３００は、サイクロンボディー２００の下部に着脱自在に結合され、サイクロンボディー２００の旋回気流によって空気から遠心分離する汚物を収去する。
【００５０】
グリル組立体４００は、サイクロンボディー２００内部の空気排出管２２０の入口に設けられ、旋回気流から分離した汚物が空気排出管２２０を通して逆流しないようにする。かかるグリル組立体４００は、上部が開放された円筒形グリルボディー４１０と、グリルボディー４１０の外周面に空気排出管２２０と連通するように形成された複数の流路４２０、及びグリルボディー４１０の下部に設けられる汚物遮断部材４３０とを備える。
【００５１】
流路４２０は、グリルボディー４１０の外周面に複数のブレードを所定角度に配置することによりスリット状に構成され得る。また、流路４２０は、グリルボディー４１０の外周面に形成される複数の通孔で構成され得るが（図示せず）、上記ブレードによって形成される流路の方が通孔で形成される流路に比して流路を通した汚物の逆流をより効果的に防止できるので望ましい。
【００５２】
汚物遮断部材４３０は、グリルボディー４１０側へ向く上昇気流に含まれた汚物を反射させてその進行方向を上記旋回気流側に転換させることにより汚物の逆流を防止する役割をする。かかる汚物遮断部材４３０は、本発明の特徴によって下部へ行くほどその直径が大きくなる円錐形の第１部材４３０ａと、第１部材４３０ａから直下方に所定長さ延ばされた円筒形の第２部材４３０ｂとから成っている。
【００５３】
一方、汚物遮断部材４３０は、図７に示すように、グリルボディー４１０に一体に形成され得るし、図８に示すように、グリルボディー４１０に分離形成され得る。
【００５４】
上記のようにグリルボディー４１０に分離形成される汚物遮断部材４３０は、結合手段４５０によってグリルボディー４１０に組み立てられる。結合手段４５０は、汚物遮断部材４３０の下面にてグリルボディー４１０の下面へ締結するスクリュで構成され得るが、それに限定されるものではなく、汚物遮断部材４３０をグリルボディー４１０に組立できる構造であればどの形でも良い。
【００５５】
上記のように構成されたサイクロン集塵装置を備えるアップライト型真空掃除機は、掃除を開始すると、モータ駆動室のモータが駆動するにつれて吸込みブラシで吸込み力が発生し、その吸込み力により、被掃除面の汚物を含んだ空気が吸込みブラシ、掃除機本体の空気流入路、及び空気流入管２１０を通ってサイクロンボディー２００内へ流入される。このとき、流入される空気は、空気流入管２１０によりサイクロンボディー２００の内周に沿って斜線方向にガイドされ旋回気流を形成し、これにより空気中に含まれた汚物は遠心力によって分離され汚物収去筒３００に収去される。また、浄化された空気は、グリル組立体４００の流路４２０、空気排出管２２０、掃除機本体の空気排出路、及びモータ駆動室を通って外部へ排出される。
【００５６】
このとき、汚物収去筒３００内で上昇する気流によって空気と共に上昇する汚物の一部は、汚物遮断部材４３０によって反射されて再び旋回気流に入り込まれることになり、一方、汚物遮断部材４３０によって遮断されない汚物は、グリル組立体４００の流路４２０を通り過ぎず旋回気流に入り込まれて汚物収去筒３００に収去される。
【００５７】
上記のような汚物分離過程にて改善された構造の本発明による汚物遮断部材４３０では、汚物遮断部材４３０の作用、すなわち上昇する汚物を反射させてその進行方向を旋回気流側へ転換する作用がより効果的に行われるため、細長い髪の毛のような汚物もグリルボディー４１０側へ上昇されずそのまま反射されて汚物収去筒３００に落ちて収去される。よって、汚物の逆流をより効率的に抑制及び防止できるので掃除機の集塵性能を高めることができる。
【００５８】
以下、添付図面を参照しながら本発明のグリル組立体及びそれを備えた真空掃除機用サイクロン集塵装置の好適な実施形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものである。
【００５９】
【発明の効果】
以上で説明した本発明によると、汚物、特に細長い髪の毛などのような汚物が円錐形の第１部材及び円筒形の第２部材とから成る本発明の汚物遮断部材によってグリルボディー側に上昇せずにそのまま反射されて旋回気流に再び入り込まれるので汚物の逆流を最小化することができる。
【００６０】
よって、汚物の逆流による集塵性能の低下を防止できるので、使用者の立場から非常に満足してもらえる掃除機を提供でき、製品競争力も一層高められる。
【図面の簡単な説明】
【図１】従来のキャニスター型真空掃除機用サイクロン集塵装置を概略的に示す断面図である。
【図２】従来のアップライト型真空掃除機用サイクロン集塵装置を概略的に示す断面図である。
【図３】本発明に係るグリル組立体が適用されたキャニスター型真空掃除機用サイクロン集塵装置を示す断面図である。
【図４】図３にてグリル組立体のみを抜粋して示した斜視図である。
【図５】本発明の要部である汚物遮断部材のグリルボディーに関する組立例を示す斜視図である。
【図６】本発明に係るグリル組立体が適用されたアップライト型真空掃除機用サイクロン集塵装置を示す断面図である。
【図７】図６においてグリル組立体のみを抜粋して示す斜視図である。
【図８】本発明の要部である汚物遮断部材のグリルボディーに関する組立例を示す分解斜視図である。
【符号の説明】
２０、２００  サイクロンボディー
２１、２２  第１及び第２連結管
２１０、２２０  空気流入／排出管
３０、３００  汚物収去筒
４０、４００  グリル組立体
４１、４１０  グリルボディー
４２、４２０  流路
４３、４３０  汚物遮断部材
４３ａ、４３０ａ  円錐形の第１汚物遮断部材
４３ｂ、４３０ｂ  円筒形の第２汚物遮断部材
４５、４５０  結合手段
【図１】
2004167206.tif 000003
【図２】
2004167206.tif 000004
【図３】
2004167206.tif 000005
【図４】
2004167206.tif 000006
【図５】
2004167206.tif 000007
【図６】
2004167206.tif 000008
【図７】
2004167206.tif 000009
【図８】
2004167206.tif 000010